(57)【要約】【課題】各商品の品質に応じた価格設定の手間の低減を図り、商品販売効率を向上し得ること。【解決手段】個々の商品に設置可能な商品管理装置１であって、商品の周辺環境の状態を示す検出値を検出する検出部１２と、検出部１２により検出された検出値を記憶する記憶部１１と、記憶部１１に記憶された検出値に基づいて、商品の品質を判別し、判別された品質に基づいて商品の価格を決定するＣＰＵ１０と、決定された商品の価格を表示する表示部１４を備えた商品管理装置１。【選択図】図２
2008052431.tif 000002
【特許請求の範囲】
【請求項１】
個々の商品に設置可能な商品管理装置であって、
前記商品の周辺環境の状態を示す状態情報を検出する検出手段と、
前記検出手段により検出された状態情報を記憶する状態情報記憶手段と、
前記状態情報記憶手段に記憶された状態情報に基づいて、前記商品の品質を判別する品質判別手段と、
前記品質判別手段により判別された品質に基づいて前記商品の価格を決定する価格決定手段と、
を備えること、
を特徴とする商品管理装置。
【請求項２】
前記価格決定手段により決定された前記商品の価格を表示する表示手段を備えること、
を特徴とする請求項１記載の商品管理装置。
【請求項３】
前記価格決定手段により決定された前記商品の価格を外部装置に送信する送信手段を備えること、
を特徴とする請求項１又は２記載の商品管理装置。
【請求項４】
前記状態情報記憶手段は、
前記検出手段により検出された状態情報を時系列に記憶して状態情報履歴を形成し、
前記品質判別手段は、
前記状態情報記憶手段に形成された状態情報履歴に基づいて、前記商品の品質を判別すること、
を特徴とする請求項１から３のいずれか一項に記載の商品管理装置。
【請求項５】
前記品質毎に対応する前記商品の価格が予め定められた価格情報群を記憶する価格情報記憶手段を備え、
前記価格決定手段は、
前記品質判別手段により判別された品質と前記価格情報記憶手段に記憶されている前記価格情報群とに基づいて前記商品の価格を決定すること、
を特徴とする請求項１から４のいずれか一項に記載の商品管理装置。
【請求項６】
前記検出手段は、
前記商品の周辺環境の温度を検出する温度検出手段、前記商品の周辺環境の湿度を検出する湿度検出手段、前記商品の周辺環境の照度を検出する照度検出手段、前記商品の周辺環境の振動を検出する振動検出手段、の少なくとも一つを含むこと、
を特徴とする請求項１から５のいずれか一項に記載の商品管理装置。
【請求項７】
個々の商品に設置可能な商品管理装置と、当該商品管理装置と通信接続を行う外部装置とを備える商品管理システムにおいて、
前記商品管理装置は、
前記商品の周辺環境の状態を示す状態情報を検出する検出手段と、
前記検出手段により検出された状態情報を記憶する状態情報記憶手段と、
前記状態情報記憶手段に記憶された状態情報に基づいて、前記商品の品質を判別する品質判別手段と、
前記品質判別手段により判別された品質に基づいて前記商品の価格を決定する価格決定手段と、
前記価格決定手段により決定された前記商品の価格を外部装置に送信する送信手段と、
を有し、
前記外部装置は、
前記商品管理装置に対して前記価格を受信する受信手段を有すること、
を特徴とする商品管理システム。
【請求項８】
前記外部装置は、
前記受信手段により受信した前記価格を表示する表示手段を有すること、
を特徴とする請求項７記載の商品管理システム。
【請求項９】
前記外部装置は、
前記商品管理装置毎に受信した価格を累計し、複数の商品の合計金額を算出する合計金額算出手段と、
前記合計金額算出手段により算出された前記合計金額に応じた支払金額の演算を行う支払演算手段と、
前記受信手段により受信した商品毎の価格、前記合計金額算出手段により算出された合計金額、前記支払演算手段による演算結果に応じた領収書を発行させる領収書発行手段と、
を有すること、
を特徴とする請求項７又は８記載の商品管理システム。
【請求項１０】
コンピュータを、
商品の周辺環境の状態を示す状態情報を検出する検出手段により検出された状態情報が記憶される状態情報記憶手段に記憶された状態情報に基づいて、前記商品の品質を判別する品質判別手段、
前記品質判別手段により判別された品質に基づいて前記商品の価格を決定する価格決定手段、
として機能させるためのプログラム。
【発明の詳細な説明】
【技術分野】
【０００１】
本発明は、店舗に陳列された商品の管理と販売を円滑に行うための商品管理装置、商品管理システム及びプログラムに関する。
【背景技術】
【０００２】
近年、生鮮食品等の賞味期限や消費期限の限られた商品の管理は、当該商品を管理するユーザ（店員等）により商品に貼付されている値札に印刷されている加工日時や賞味期限等を参照して人為的に行われているため、人手と時間がかかり、商品が痛んだり売れ残ったりすると損失が生じるという問題があった。
【０００３】
そこで、商品に貼付されているＩＤタグの個別ＩＤ情報を読み取り、個別ＩＤと賞味期限情報とを対応付けたデータベースを参照して商品に賞味期限情報を対応付け、商品の現在の賞味残時間を算出し、当該賞味残時間に対応付けられた値引率に応じて商品の値引率を決定する商品販売システムが開示されている（特許文献１参照）。
【特許文献１】特開２００４−１８５３７７号公報
【発明の開示】
【発明が解決しようとする課題】
【０００４】
しかしながら、従来の技術では、商品の周辺環境の状態（温度変化や湿度変化、衝撃の有無等）に伴って変化する商品の品質を個別に管理することはできないため、周辺環境の状態による品質の劣化を考慮した時間を消費期限に加味し、本来の消費期限よりも短く消費期限を設定せざるを得ず、不要に消費期限が短縮された商品が存在することとなる。また、閉店時間が近くなる時刻に、売れ残りの商品を低減させるために値引きして販売する場合があるが、各商品の品質を個別に判別することは人手も手間もかかり困難であるため、複数の商品を同一の値引率で値引きを行って販売せざるを得ず、品質が低下しておらず値引きする必要の無い商品も値引き対象となり、商品販売効率が悪くなるという問題がある。
【０００５】
そこで本発明の課題は、上記問題に鑑みて、各商品の品質に応じた価格設定の手間の低減を図り、商品販売効率を向上し得ることである。
【課題を解決するための手段】
【０００６】
請求項１に記載の発明は、個々の商品に設置可能な商品管理装置であって、前記商品の周辺環境の状態を示す状態情報を検出する検出手段と、前記検出手段により検出された状態情報を記憶する状態情報記憶手段と、前記状態情報記憶手段に記憶された状態情報に基づいて、前記商品の品質を判別する品質判別手段と、前記品質判別手段により判別された品質に基づいて前記商品の価格を決定する価格決定手段と、を備える商品管理装置であること、を特徴としている。
更に、コンピュータに対して、上述した請求項１に記載の発明に示した主要手段を機能させるためのプログラムを提供する（請求項１０に記載の発明）。
【０００７】
請求項２に記載の発明は、請求項１記載の商品管理装置において、前記価格決定手段により決定された前記商品の価格を表示する表示手段を備えること、を特徴としている。
【０００８】
請求項３に記載の発明は、請求項１又は２記載の商品管理装置において、前記価格決定手段により決定された前記商品の価格を外部装置に送信する送信手段を備えること、を特徴としている。
【０００９】
請求項４に記載の発明は、請求項１から３のいずれか一項に記載の商品管理装置において、前記状態情報記憶手段は、前記検出手段により検出された状態情報を時系列に記憶して状態情報履歴を形成し、前記品質判別手段は、前記状態情報記憶手段に形成された状態情報履歴に基づいて、前記商品の品質を判別すること、を特徴としている。
【００１０】
請求項５に記載の発明は、請求項１から４のいずれか一項に記載の商品管理装置において、前記品質毎に対応する前記商品の価格が予め定められた価格情報群を記憶する価格情報記憶手段を備え、前記価格決定手段は、前記品質判別手段により判別された品質と前記価格情報記憶手段に記憶されている前記価格情報群とに基づいて前記商品の価格を決定すること、を特徴としている。
【００１１】
請求項６に記載の発明は、請求項１から５のいずれか一項に記載の商品管理装置において、前記検出手段は、前記商品の周辺環境の温度を検出する温度検出手段、前記商品の周辺環境の湿度を検出する湿度検出手段、前記商品の周辺環境の照度を検出する照度検出手段、前記商品の周辺環境の振動を検出する振動検出手段、の少なくとも一つを含むこと、を特徴としている。
【００１２】
請求項７に記載の発明は、個々の商品に設置可能な商品管理装置と、当該商品管理装置と通信接続を行う外部装置とを備える商品管理システムにおいて、前記商品管理装置は、前記商品の周辺環境の状態を示す状態情報を検出する検出手段と、前記検出手段により検出された状態情報を記憶する状態情報記憶手段と、前記状態情報記憶手段に記憶された状態情報に基づいて、前記商品の品質を判別する品質判別手段と、前記品質判別手段により判別された品質に基づいて前記商品の価格を決定する価格決定手段と、前記価格決定手段により決定された前記商品の価格を外部装置に送信する送信手段と、を有し、前記外部装置は、前記商品管理装置に対して前記価格を受信する受信手段を有すること、を特徴とする商品管理システムであること、を特徴としている。
【００１３】
請求項８に記載の発明は、請求項７記載の商品管理システムにおいて、前記外部装置は、前記受信手段により受信した前記価格を表示する表示手段を有すること、を特徴としている。
【００１４】
請求項９に記載の発明は、請求項７又は８記載の商品管理システムにおいて、前記外部装置は、前記商品管理装置毎に受信した価格を累計し、複数の商品の合計金額を算出する合計金額算出手段と、前記合計金額算出手段により算出された前記合計金額に応じた支払金額の演算を行う支払演算手段と、前記受信手段により受信した商品毎の価格、前記合計金額算出手段により算出された合計金額、前記支払演算手段による演算結果に応じた領収書を発行させる領収書発行手段と、を有すること、を特徴としている。
【発明の効果】
【００１５】
請求項１、１０に記載の発明によれば、商品の品質を個別的に管理することができると共に、当該品質に見合った価格を人手を介せずに決定することができ、品質が低下しておらず値引きする必要の無い商品が値引き対象となることを防止できるため、各商品の品質に応じた価格設定の手間の低減を図り、商品販売効率を向上し得ることができる。
【００１６】
請求項２に記載の発明によれば、請求項１と同様の効果を得られるのは勿論のこと、決定された価格が随時表示されるため、品質に応じた価格を容易に顧客に報知することができ、商品の販売効率を向上し得ることができる。
【００１７】
請求項３に記載の発明によれば、請求項１又は２と同様の効果を得られるのは勿論のこと、決定された価格が外部装置においても把握し得ることができ、商品管理の効率化を図ることができる。
【００１８】
請求項４に記載の発明によれば、請求項１から３のいずれか一項と同様の効果を得られるのは勿論のこと、商品の周辺環境の時系列の状態の履歴に基づいて商品の品質を判別することができるため、時間経過によって一律的に定められた賞味期限や消費期限による商品管理よりも、きめ細やかに商品の品質管理を行うことができる。
【００１９】
請求項５に記載の発明によれば、請求項１から４のいずれか一項と同様の効果を得られるのは勿論のこと、品質に応じた価格をきめ細やかに決定することができ、商品の販売効率を向上し得ることができる。
【００２０】
請求項６に記載の発明によれば、請求項１から５のいずれか一項と同様の効果を得られるのは勿論のこと、検出手段として、商品の周辺環境の温度を検出する温度検出手段、商品の周辺環境の湿度を検出する湿度検出手段、商品の周辺環境の照度を検出する照度検出手段、商品の周辺環境の振動を検出する振動検出手段の少なくとも一つを用いることができ、商品の品質に影響を与える周辺環境として、温度、湿度、照度、振動の少なくとも一つに基づいて商品の品質を判別することができるため、適切な価格を決定することができる。
【００２１】
請求項７に記載の発明によれば、商品の品質を個別的に管理することができると共に、当該品質に見合った価格を人手を介せずに決定することができ、決定された価格が外部装置において把握することができるため、品質が低下しておらず値引きする必要の無い商品が値引き対象となることを防止できるため、各商品の品質に応じた価格設定の手間の低減を図り、商品販売効率を向上し得ることができる。
【００２２】
請求項８に記載の発明によれば、請求項７と同様の効果を得られるのは勿論のこと、品質に応じた価格を容易に報知することができ、商品の販売効率を向上し得ることができる。
【００２３】
請求項９に記載の発明によれば、請求項７又は８と同様の効果を得られるのは勿論のこと、決定された価格により商品の精算を行うことができ、精算時の手間を低減し得ることができる。
【発明を実施するための最良の形態】
【００２４】
以下、図を参照して本発明の実施の形態を詳細に説明する。なお、この発明にはこの実施の形態に限定されるものではない。また、この発明の実施の形態は、発明の最も好ましい形態を示すものであり、この発明の用語はこれに限定されない。
【００２５】
本実施の形態では、本発明の商品管理装置１を個々の商品に設置（貼付）可能な値札（プライスタグ）に適用した場合について説明する。
【００２６】
以下、図を参照して本発明の実施の形態を詳細に説明する。
まず、構成を説明する。
図１に、本実施の形態における商品管理装置１が設置（本実施の形態では貼付）される商品４に対する処理の流れの概略図を示して商品管理システムを説明する。
【００２７】
図１に示すように、外部から店舗内に搬入された商品４は、検品や加工処理が施されると共に商品管理装置１が貼付され、外部装置としてのハンディターミナル２によって後述する設定情報書込処理が実行され、店舗内の陳列棚等に陳列される。店舗内に陳列された商品管理装置１が貼付された商品４は、店員や来店客によって店舗内を移動されると共に、後述する変更価格設定処理を実行する。更に、商品管理装置１が貼付された商品４は、来店客によってＥＣＲ（Electronic Cash Register；電子レジスタ）３が設置されているレジカウンターに移動されると、ＥＣＲ３によって後述する精算処理が実行され、店舗外に搬出される。
【００２８】
図２に、商品管理装置１の概略構成のブロック図を示す。
図２に示すように、商品管理装置１は、ＣＰＵ（Central Processing Unit）１０、記憶部１１、検出部１２、計時部１３、表示部１４、アンテナ１５ａ及び通信回路部１５ｂを有する通信部１５を備え、各部は電気的に接続されており、各部は電源部１６からの電源供給を受けている。なお、ＣＰＵ１０、記憶部１１、検出部１２、計時部１３、通信回路部１５ｂは、ワンチップマイクロコンピュータ（ＩＣチップ）として構成されていることが好ましい。
【００２９】
ＣＰＵ１０は、記憶部１１の所定領域を作業領域として、記憶部１１に記憶されている各種制御プログラムやデータに基づいて各種処理を実行し、上記各部に制御信号を送って商品管理装置１の動作全般を統括的に制御する。
【００３０】
また、ＣＰＵ１０は、検出部１２により検出され記憶部１１に記憶された状態情報としての検出値に基づいて、商品の品質を判別する品質判別手段と、判別された品質に基づいて商品の価格を決定する価格決定手段としての機能を実現し、決定した商品の価格を表示部１４に表示させ、又、決定された商品の価格を外部装置の要求に応じて通信部１５を介して送信させる。
【００３１】
決定された価格が外部装置に送信されることより、外部装置おいても価格を把握し得ることができ、商品管理の効率化を図ることができる。
【００３２】
ＣＰＵ１０は、商品の品質を判別する際は、検出部１２により検出された検出値が時系列に記憶部１１に記憶された検出履歴（状態情報履歴）と、記憶部１１に予め記憶されている判別情報とに基づいて、商品の品質を判別する。また、ＣＰＵ１０は、商品の価格を決定する際は、判別された品質と、記憶部１１に予め記憶されている各種品質毎に対応する商品の値引率が予め定められた値引率群（価格情報群）及び最初に設定された価格（初期設定価格）とに基づいて前記商品の価格を決定する。
【００３３】
記憶部１１は、ＣＰＵ１０により実行される各種制御処理プログラム及びこれらプログラムで使用される各種データ等が予め記憶されている領域と、当該制御処理プログラムや各種データが展開される領域とを有する記録媒体である。記憶部１１は、磁気的、光学的記録媒体又は半導体等の電気的に消去及び書き換えが可能な不揮発性メモリで構成されており、商品管理装置１に固定的に設けられたもの又は着脱自在に装着されるものである。例えば、ＦｅＲＡＭ（Ferroelectric Random Access Memory）、ＭＲＡＭ（Magnetoresistive Random Access Memory）、ＯＵＭ（カルコゲニド合金による相変化記録メモリ）等を挙げることができる。
【００３４】
また記憶部１１は、検出部１２により検出された検出値を時系列に順次記憶して状態情報履歴としての検出履歴を記憶し、また、当該検出履歴と共に検出値が検出された際に判別された品質結果や値引率を記憶して履歴情報群として記憶する状態情報記憶手段、判別情報、当該判別情報に適合した場合の商品の品質、当該品質毎に対応する商品の初期設定価格に対する値引率が予め定められた価格情報群としての値引率群を記憶する価格情報記憶手段、としての機能を実現する。
【００３５】
このように、商品の周辺環境の時系列の状態の履歴（検出履歴）に基づいて商品の品質を判別することができるため、時間経過によって一律的に定められた賞味期限や消費期限による商品管理よりも、きめ細やかに商品の品質管理を行うことができる。また、品質に応じた価格をきめ細やかに決定することができ、商品の販売効率を向上し得ることができる。
【００３６】
図３に、記憶部１１に記憶される各種情報の一例を示す。
図３（ａ）に商品を識別するための商品コードと当該商品の初期設定価格の一例、図３（ｂ）に判別情報群の一例、図３（ｃ）に履歴情報群の一例を示す。
【００３７】
図３（ａ）に示すように、記憶部１１には、当該商品管理装置１が貼付された商品を識別するための商品コードと、初期設定価格が記憶される。
【００３８】
図３（ｂ）に示すように、判別情報群は、各レコードを示す判別番号、判別番号に対応する判別情報、判別情報に該当する場合の商品の品質、品質に応じた初期設定価格に対する値引率を示す各種フィールドからなるレコードが複数（ここでは、判別番号０から２６までの２７件）集まって形成されている。
【００３９】
判別情報のフィールドには、判別条件として、温度条件を示すフィールドと商品管理装置１が貼付されてからの経過時間の条件を示すフィールドを有している。
なお、本実施の形態における判別条件は、検出部１２が商品の周辺環境の温度を検出する温度センサを例に挙げて説明しているため、温度条件が設定されているが、検出部１２による検出対象（湿度、照度、振動等）に応じて適宜設定され、また、検出部１２が複数備えられている場合には、複数の条件が設定される。
【００４０】
値引率は、品質に対応して設定されるものであるが、品質が販売に適さない状態である場合には初期設定価格に対する値引率ではなく廃棄と設定される。
【００４１】
図３（ｃ）に示すように、履歴情報群は、予め定められた間隔（ここでは３０分間隔）で検出部１２により検出された検出値が時系列に順次記憶される検出履歴と、当該検出履歴が記憶された際に判別された品質結果や決定された値引率を示す各種フィールドからなるレコードが時系列に形成される。
【００４２】
検出部１２は、商品の周辺環境の状態を示す状態情報としての検出値を検出する検出手段としての機能を実現する。検出部１２は、商品の周辺環境の温度を検出する温度検出手段、商品の周辺環境の湿度を検出する湿度検出手段、商品の周辺環境の照度を検出する照度検出手段、商品の周辺環境の振動を検出する振動検出手段、の少なくとも一つを含む。本実施の形態における検出部１２は、温度検出手段としての機能を有するものとして説明する。
【００４３】
このように検出部１２として、商品の周辺環境の温度を検出する温度検出手段、商品の周辺環境の湿度を検出する湿度検出手段、商品の周辺環境の照度を検出する照度検出手段、商品の周辺環境の振動を検出する振動検出手段の少なくとも一つを用いることができ、商品の品質に影響を与える周辺環境として、温度、湿度、照度、振動の少なくとも一つに基づいて商品の品質を判別することができるため、適切な価格を決定することができる。
【００４４】
計時部１３は、現在時刻や日付（年月日）を計時し、計時された現在時刻をＣＰＵ１０に出力する。ＣＰＵ１０は、現在時刻を記憶部１１内の計時レジスタに送り、順次更新セットさせる。計時部１３としては、例えば、所定周波数の電気信号を発振する発振回路と該発振回路からの信号を分周して所定周波数の信号を得る分周回路とから構成されその信号をカウントすることによって現在時刻を計時する構成を挙げることができる。
【００４５】
表示部１４は、例えば、ＬＣＤ（Liquid Crystal Display）やＥＬ（Electro Luminescence）ディスプレイ等の表示画面を備え、ＣＰＵ１０から入力される表示制御信号に従って各種情報、即ち、当該商品管理装置１が貼付された商品に対してＣＰＵ１０により決定された価格を表示する表示手段としての機能を実現する。
【００４６】
通信部１５は、アンテナ１５ａと通信回路部１５ｂとを有しており、ＣＰＵ１０により決定された商品の価格を外部装置としてのハンディターミナル２やＥＣＲ３に送信する送信手段としての機能を実現する。例えば、ハンディターミナル２やＥＣＲ３から送信される誘導電磁界又は電波を受けて、自ら電波を発するＲＦＩＤタグのアクティブタグのアンテナ及び通信回路を挙げることができる。
【００４７】
電源部１６は、商品管理装置１の各部に電源の供給を行う装置であり、例えば、乾電池や充電式電池等の蓄電池や、太陽電池を挙げることができる。
【００４８】
図４に、ハンディターミナル２の概略構成のブロック図を示す。
図４に示すように、ハンディターミナル２は、ＣＰＵ２０、ＲＯＭ（Read Only Memory）２１、ＲＡＭ（Random Access Memory）２２、表示部２３、入力部２４、Ｒ／Ｗ部２５、Ｉ／Ｆ２６、バーコードリーダー（不図示）等を備え、各部は電気的に接続されており、各部は電源部（不図示）からの電源供給を受けている。
【００４９】
ＣＰＵ２０は、ＲＯＭ２１に記憶されている各種プログラムや各種データの中から指定されたプログラムやデータを読み出し、ＲＡＭ２２内のワークエリアに展開し、上記プログラムとの協働によって各種処理を実行し、その処理結果をＲＡＭ２２の所定の領域に格納するとともに、各部に指示してハンディターミナル２の動作全般を統括的に制御する。
【００５０】
また、ＣＰＵ２０は、後述する設定情報書込処理を実行して、商品管理装置１に対して各種情報の設定を行い、また、Ｒ／Ｗ部２５から受信した価格を表示部２３に表示させる。
【００５１】
ＲＯＭ２１は、ＣＰＵ２０により実行される各種プログラムや各種プログラムの実行に必要なパラメータや各種データを記憶している。なお、ＲＯＭ２１は読出し専用の記憶媒体であれば良く、磁気的、光学的記憶媒体又は半導体メモリで構成されていても良い。
【００５２】
ＲＡＭ２２は、ＰＬＵ（Price Look Up）ファイルを記憶している。
図５に、ＰＬＵファイルの一例を示す。
図５に示すように、ＰＬＵファイルは、商品を識別するための商品コードと、当該商品コードに対応する商品の品名、初期設定価格、当該商品コードに対応する商品の判別情報群（例えば、図３（ｂ））、当該商品の売上個数、売上金額等の各種フィールドからなるレコードが複数集まって形成されているものである。
【００５３】
更に、ＲＡＭ２２は、ＣＰＵ２０により実行される各種プログラム及びこれらプログラムに係わるパラメータやデータを一時的に記憶するワークエリアを形成する。
【００５４】
表示部２３は、ＣＲＴ（Cathode Ray Tube）、ＬＣＤ（Liquid CrystalDisplay）又は有機ＥＬ（Electronic Luminescent）素子を用いた等の表示画面を備え、ＣＰＵ２０から入力される表示制御信号に従って所要の表示処理を行うと共に、Ｒ／Ｗ部２５により受信した商品の価格を表示する表示手段としての機能を実現する。
【００５５】
入力部２４は、表示部２３の表示画面を覆うように設けられたタッチパネルや、テンキー、メニューキー、十字キー、決定キー及び各種機能キー等のハードキーを有し、タッチパネルやハードキーが押下されることにより生じる操作信号をＣＰＵ２０に出力する。
【００５６】
Ｒ／Ｗ部２５は、商品管理装置１の記憶部１１に各種情報を書き込んだり、記憶部１１に記憶されている価格を読み出して受信し、受信した情報をＣＰＵ２０に出力する受信手段としての機能を実現する。本実施の形態においては、商品管理装置１に対して誘導電磁界又は電波を送信すると共に商品管理装置１からの電波を受信し、非接触で商品管理装置１の記憶部１１に記録された情報を読み取るＲＦＩＤリーダ／ライタを挙げることができる。
【００５７】
Ｉ／Ｆ２６は、所定の通信方式により有線又は無線、直接又はネットワークを介して接続される上位装置と通信を行うための通信制御を行う。
【００５８】
図６に、ＥＣＲ３の概略構成のブロック図を示す。
図６に示すように、ＥＣＲ３は、ＣＰＵ３０、ＲＯＭ３１、ＲＡＭ３２、表示部３３、入力部３４、Ｒ／Ｗ部３５、Ｉ／Ｆ３６、印字部３７、ドロア３８を備え、各部は電気的に接続されており、各部は電源部（不図示）からの電源供給を受けている。
【００５９】
ＣＰＵ３０は、ＲＯＭ３１に記憶されている各種プログラムや各種データの中から指定されたプログラムやデータを読み出し、ＲＡＭ３２内のワークエリアに展開し、上記プログラムとの協働によって各種処理を実行し、その処理結果をＲＡＭ３２の所定の領域に格納するとともに、各部に指示してＥＣＲ３の動作全般を統括的に制御する。
【００６０】
ＣＰＵ３０は、Ｒ／Ｗ部３５から受信した価格を表示部３３に表示させると共に、後述する精算処理を実行して、受信した価格を累計して複数の商品の合計金額を算出する合計金額算出手段と、算出された合計金額及び顧客から預かった預かり金額に応じてつり銭の算出等の支払金額の演算を行う支払演算手段と、受信した商品毎の価格、合計金額、支払金額の演算結果等に応じて印字部３７により領収書（レシート）を発行させる領収書発行手段と、しての機能を実現する。
【００６１】
ＲＯＭ３１は、ＣＰＵ３０により実行される各種プログラムや各種プログラムの実行に必要なパラメータや各種データを記憶している。なお、ＲＯＭ３１は読出し専用の記憶媒体であれば良く、磁気的、光学的記憶媒体又は半導体メモリで構成されていても良い。
【００６２】
ＲＡＭ３２は、ＰＬＵ（Price Look Up）ファイルを記憶している。
ＲＡＭ３２が記憶しているＰＬＵファイルは、ハンディターミナル２のＲＡＭ２２が記憶しているＰＬＵファイルと同様であるため、図示及び説明は省略する。
【００６３】
更に、ＲＡＭ３２は、ＣＰＵ３０により実行される各種プログラム及びこれらプログラムに係わるパラメータやデータを一時的に記憶するワークエリアを形成する。
【００６４】
表示部３３は、ＣＲＴ（Cathode Ray Tube）、ＬＣＤ（Liquid CrystalDisplay）又は有機ＥＬ（Electronic Luminescent）素子を用いた等の表示画面を備え、ＣＰＵ３０から入力される表示制御信号に従って所要の表示処理を行うと共に、Ｒ／Ｗ部３５により受信した商品の価格を表示する表示手段としての機能を実現する。
【００６５】
入力部３４は、表示部３３の表示画面を覆うように設けられたタッチパネルや、支払演算を実行させるための締めキー、現金／預かり金キー、各種演算を行うための演算キー、テンキー、メニューキー、十字キー、決定キー及び各種機能キー等のハードキーを有し、タッチパネルやハードキーが押下されることにより生じる操作信号をＣＰＵ３０に出力する。
【００６６】
Ｒ／Ｗ部３５は、商品管理装置１の記憶部１１に記憶されている価格を読み出して受信し、受信した情報をＣＰＵ３０に出力する受信手段としての機能を実現する。本実施の形態においては、商品管理装置１に対して誘導電磁界又は電波を送信すると共に商品管理装置１からの電波を受信し、非接触で商品管理装置１の記憶部１１に記録された情報を読み取るＲＦＩＤリーダ／ライタを挙げることができる。
【００６７】
Ｉ／Ｆ３６は、所定の通信方式により有線又は無線、直接又はネットワークを介して接続される上位装置と通信を行うための通信制御を行う。
【００６８】
印字部３７は、ラインサーマルプリンタ等により構成され、ＲＯＭ３１に記憶された印字制御プログラムに従って印字動作と紙送り動作を制御し、ＣＰＵ３０から入力される情報を所定の時間間隔で１ライン毎にサーマルプリンタ内の印字ヘッドに出力し、セットされる用紙に印刷して領収書（レシート）を発行する。
【００６９】
ドロア３８は、現金を収納し、入力部３４において現金／預かり金キー等が押下された際に開放される。
【００７０】
次に、本実施の形態の動作を説明する。
図７に、本実施の形態における設定情報書込処理のフローチャートを示す。
図７に示す設定情報書込処理は、ハンディターミナル２により商品管理装置１に各種情報を設定する処理であり、主にハンディターミナル２のＣＰＵ２０、ＲＯＭ２１及びＲＡＭ２２の協働によるソフトウエア処理により実現される処理である。
【００７１】
まず、商品管理装置１が貼付された商品に対する商品コードが取得される（ステップＳ１）。例えば、商品コードの取得方法としては、商品管理装置１が貼付された商品に予め付されているバーコードに商品コードが含まれている場合には、バーコードリーダを用いてバーコードが読み取られることによって取得されたり、入力部２４から商品コードが入力されることによって取得される。
【００７２】
商品コードが取得されると、ＲＡＭ２２内に記憶されているＰＬＵファイルが参照され、商品コードに対応する初期設定価格が取得され（ステップＳ２）、更に、商品コードに対応する判別情報群が取得される（ステップＳ３）。
【００７３】
ステップＳ１〜３において取得された商品コード、初期設定価格、判別情報群がＲ／Ｗ部２５を介して商品管理装置１に送信され（ステップＳ４）、商品管理装置１において、ハンディターミナル２から受信した商品コード、初期設定価格、判別情報群が記憶部１１に書き込まれて記憶され（ステップＳ５）、本処理は終了される。
【００７４】
図８及び図９に、本実施の形態における変更価格設定処理のフローチャートを示す。
図８及び９に示す変更価格設定処理は、商品管理装置１により実行される処理であり、ＣＰＵ１０、記憶部１１の協働によるソフトウエア処理により実現される処理である。
【００７５】
表示部１４に現在表示されている価格が表示された時刻から予め設定された時間（検出時間間隔ｄ）が経過しかた否かが判別され（ステップＳ１１）、検出時間間隔ｄが経過していないと判別された場合（ステップＳ１１；Ｎｏ）、検出時間間隔ｄが経過するまで待機する（ステップＳ１１に戻る）。
【００７６】
検出時間間隔ｄが経過したと判別された場合（ステップＳ１１；Ｙｅｓ）、検出部１２により商品の周辺環境の状態を示す検出値が取得されて現在時刻と共に検出履歴として記憶部１１に記憶される（ステップＳ１２）。
【００７７】
そして参照する判別情報群のレコードを示す参照判別番号ｍが初期化され（ステップＳ１３）、参照判別番号ｍに対応する判別番号の判別情報が読み出され（ステップＳ１４）、図９に示す検出履歴と判別情報との比較処理が実行される（ステップＳ１５）。
【００７８】
検出履歴と判別情報との比較処理が実行された後、検出履歴が判別情報に適合したか否かが判別され（ステップＳ１６）、判別情報に適合していないと判別された場合（ステップＳ１６；Ｎｏ）、ステップＳ１８に進む。
【００７９】
検出履歴が判別情報に適合したと判別された場合（ステップＳ１６；Ｙｅｓ）、適合した判別情報に対応する品質、当該品質に対応する値引率が読み出され、ステップＳ１２において記憶された検出履歴に対応付けられた品質結果、値引率として履歴情報群に書き込まれ記憶される（ステップＳ１７）。
【００８０】
ステップＳ１７後又はステップＳ１６；Ｎｏ後、参照判別番号ｍがインクリメントされ（参照判別番号ｍに１が加算される）（ステップＳ１８）、判別情報群のうち未判別の判別情報の有無が判別され（ステップＳ１９）、未判別の判別情報が有ると判別された場合（ステップＳ１９；Ｎｏ）、ステップＳ１４に戻る。
【００８１】
未判別の判別情報が無しと判別された場合（ステップＳ１９；Ｙｅｓ）、ステップＳ１２において記憶された検出履歴に最終的に対応付けられて記憶された品質結果及び値引率に基づいて、商品管理装置１が貼付された商品の品質が不良品質であるか否かが判別され（ステップＳ２０）、不良品質でないと判別された場合（ステップＳ２０；Ｎｏ）、本処理は終了される。
【００８２】
ステップＳ２０において、品質が不良品質であるか否かの判別としては、例えば、値引率が設定されている品質は品質に不良が生じていると判別し、品質結果が値引率が０％でない品質であるか否かの判別を行う。
【００８３】
不良品質であると判別された場合（ステップＳ２０；Ｙｅｓ）、ステップＳ１２において記憶された検出履歴に最終的に対応付けられて記憶された値引率は廃棄であるか否かが判別される（ステップＳ２１）。
【００８４】
廃棄であると判別された場合（ステップＳ２１；Ｙｅｓ）、表示部１４に廃棄を促す廃棄メッセージが表示され（ステップＳ２２）、本処理は終了される。
【００８５】
廃棄でないと判別された場合（ステップＳ２１；Ｎｏ）、ステップＳ１２において記憶された検出履歴に最終的に対応付けられて記憶された値引率と初期設定価格とに応じて新たな価格として変更価格が算出され（ステップＳ２３）、算出された変更価格が表示部１４に表示され（ステップＳ２４）、本処理は終了される。
【００８６】
図９に、ステップＳ１５において実行される検出履歴と判別情報との比較処理を示す。
まず、参照する検出履歴の時刻を示す参照時刻Ｔが初期化され（ステップＳ３１）、経過時間変数Ｄが０に設定されることにより初期化される（ステップＳ３２）。参照時刻Ｔの初期化とは、参照時刻Ｔを検出履歴フィールドに含まれる時刻フィールドの最初の時刻に設定することである。
【００８７】
参照時刻Ｔ及び経過時間変数Ｄの初期化がされた後、参照時刻Ｔに対応する検出履歴の時刻の検出温度が参照判別番号ｍに対応する判別番号の判別情報としての温度よりも高いか否かが判別され（ステップＳ３３）、参照時刻Ｔに対応する検出履歴の時刻の検出温度が参照判別番号ｍに対応する判別番号の判別情報としての温度以下であると判別された場合（ステップＳ３３；Ｎｏ）、ステップＳ３５に進む。
【００８８】
参照時刻Ｔに対応する検出履歴の時刻の検出温度が参照判別番号ｍに対応する判別番号の判別情報としての温度よりも高いと判別された場合（ステップＳ３３；Ｙｅｓ）、経過時間変数Ｄに検出時間間隔ｄが加算される（ステップＳ３４）。例えば、本実施の形態においては、図３（ｃ）において検出履歴は３０分毎に形成されていることから、経過時間間隔は３０分であり、経過時間変数Ｄは３０分加算されることとなる。
【００８９】
ステップＳ３３又はステップＳ３４後、参照時刻Ｔは、検出履歴フィールドの時刻フィールドのうち最終の時刻であるか否かが判別され（ステップＳ３５）、参照時刻Ｔが最終時刻でないと判別された場合（ステップＳ３５；Ｎｏ）、参照時刻Ｔに検出時間間隔ｄが加算され（ステップＳ３６）、ステップＳ３３に戻る。
【００９０】
参照時刻Ｔが最終時刻であると判別された場合（ステップＳ３５；Ｙｅｓ）、経過時間変数Ｄが参照判別番号ｍに対応する判別番号の判別情報としての経過時間よりも長いか否かが判別される（ステップＳ３７）。
【００９１】
経過時間変数Ｄが参照判別番号ｍに対応する判別番号の判別情報としての経過時間よりも長いと判別された場合（ステップＳ３７；Ｙｅｓ）、検出履歴が参照判別番号ｍの判別情報に適合すると判別され（ステップＳ３８）、本処理は終了され、ステップＳ１６に進む。
【００９２】
経過時間変数Ｄが参照判別番号ｍに対応する判別番号の判別情報としての経過時間以下と判別された場合（ステップＳ３７；Ｎｏ）、検出履歴が参照判別番号ｍの判別情報に適合しないと判別され（ステップＳ３９）、本処理は終了され、ステップＳ１６に進む。
【００９３】
このように、決定された変更価格が随時表示されるため、品質に応じた価格を容易に顧客に報知することができ、商品の販売効率を向上し得ることができる。
【００９４】
図１０に、本実施の形態における精算処理のフローチャートを示す。
図１０に示す精算処理は、ＥＣＲ３により商品に貼付された商品管理装置１から当該商品の価格を取得して顧客との商品の取引を行う際に実行される処理であり、主にＥＣＲ３のＣＰＵ３０、ＲＯＭ３１及びＲＡＭ３２の協働によるソフトウエア処理により実現される処理である。
【００９５】
ＥＣＲ３のＲ／Ｗ部３５により商品管理装置１に対して最新の変更価格の送信が要求されると（ステップＳ４１）、商品管理装置１の通信部１５を介して履歴情報群のうち最新時刻に対して記憶されている値引率と初期設定価格とに応じて算出された変更価格、即ち、現在、商品管理装置１の表示部１４に表示されている価格がＥＣＲ３に送信される（ステップＳ４２）。
【００９６】
商品管理装置１から変更価格が受信されると、受信された変更価格がＥＣＲ３の表示部３３に表示され（ステップＳ４３）、「締めキー」が押下されるまでに各商品に貼付された商品管理装置１から受信した変更価格が商品価格として記憶され、この商品の売上個数及び売上金額がＲＡＭ３２のＰＬＵファイルに累計され、顧客が買い上げた合計金額が算出され、算出された合計金額が表示部３３に表示される（ステップＳ４４）。
【００９７】
そして「締めキー」が押下されたか否かが判別され（ステップＳ４５）、「締めキー」が押下されていないと判別された場合（ステップＳ４５；Ｎｏ）、ステップＳ４１に戻る。
【００９８】
「締めキー」が押下されたと判別された場合（ステップＳ４５；Ｙｅｓ）、ＥＣＲ３を操作するレジ係（店員）と顧客との間で現金の授受処理が実行されて、顧客から預かった預かり金額が入力部３４を介して入力され（ステップＳ４６）、ステップＳ４４において算出された合計金額とステップＳ４６において入力された預かり金額とに基づいてつり銭が算出される支払金額の演算が行われ（ステップＳ４７）、印字部３７により領収書が発行されると共にドロア３８が開き（ステップＳ４８）、レジ係によりドロア３８からつり銭としての現金と領収書が顧客に渡され、本処理は終了される。
【００９９】
以上のように、本実施の形態によれば、商品の品質を個別的に管理することができると共に、当該品質に見合った価格を人手を介せずに決定することができ、決定された価格が外部装置において把握することができるため、品質が低下しておらず値引きする必要の無い商品が値引き対象となることを防止できるため、各商品の品質に応じた価格設定の手間の低減を図り、商品販売効率を向上し得ることができる。また決定された価格により商品の精算を行うことができ、精算時の手間を低減し得ることができる。
【図面の簡単な説明】
【０１００】
【図１】本実施の形態における商品管理装置が貼付される商品に対する処理の流れの概略図である。
【図２】商品管理装置１の概略構成のブロック図である。
【図３】記憶部１１に記憶される各種情報の一例である。
【図４】ハンディターミナル２の概略構成のブロック図である。
【図５】ＰＬＵファイルの一例である。
【図６】ＥＣＲ３の概略構成のブロック図である。
【図７】本実施の形態における設定情報書込処理のフローチャートである。
【図８】本実施の形態における変更価格設定処理のフローチャートである。
【図９】ステップＳ１５において実行される検出履歴と判別情報との比較処理のフローチャートである。
【図１０】本実施の形態における精算処理のフローチャートである。
【符号の説明】
【０１０１】
１  商品管理装置
２  ハンディターミナル
３  ＥＣＲ
４  商品
１０  ＣＰＵ
１１  記憶部
１２  検出部
１３  計時部
１４  表示部
１５  通信部
１５ａ  アンテナ
１５ｂ  通信回路部
１６  電源部
２０  ＣＰＵ
２１  ＲＯＭ
２２  ＲＡＭ
２３  表示部
２４  入力部
２５  Ｒ／Ｗ部
２６  Ｉ／Ｆ
３０  ＣＰＵ
３１  ＲＯＭ
３２  ＲＡＭ
３３  表示部
３４  入力部
３５  Ｒ／Ｗ部
３６  Ｉ／Ｆ
３７  印字部
３８  ドロア
ｄ  検出時間間隔
Ｄ  経過時間変数
ｍ  参照判別番号
Ｔ  参照時刻
【図１】
2008052431.tif 000003
【図２】
2008052431.tif 000004
【図３】
2008052431.tif 000005
【図４】
2008052431.tif 000006
【図５】
2008052431.tif 000007
【図６】
2008052431.tif 000008
【図７】
2008052431.tif 000009
【図８】
2008052431.tif 000010
【図９】
2008052431.tif 000011
【図１０】
2008052431.tif 000012